(57)【要約】【課題】  糸ガイドの隣接間隔が異なるものに切り換え可能な釣り竿を提供する点にある。【解決手段】  二番竿２の外周面に、その外周面の円周方向における１８０°対角位置に夫々糸ガイド設置位置を定める。糸ガイド設置位相毎に二番竿２の軸線方向に沿って複数の糸ガイド２Ａ、２Ｂを設置し、軸線方向で隣接する糸ガイドの設置間隔ＬＡ‐１、ＬＢ‐１を、糸ガイド設置位相毎で、異なる間隔としてある。【選択図】        図１
2006075019.tif 000002
【特許請求の範囲】
【請求項１】
竿体の外周面に、その外周面の円周方向における複数位相に夫々糸ガイド設置位置を定めるとともに、複数の糸ガイド設置位相毎に、竿先側に位置する糸ガイド同士の軸線方向での間隔を基準間隔にして、前記竿体の軸線方向に沿って、前記基準間隔と一定の間隔又は前記基準間隔より竿尻側程大きくなる間隔で複数の糸ガイドを設置し、前記糸ガイドの基準間隔を、前記糸ガイド設置位相毎で、異なる間隔としてある竿体の糸ガイド取り付け構造。
【請求項２】
竿体の外周面に、その竿体の軸線方向に沿って複数の糸ガイドを設置するとともに、その複数の糸ガイドの少なくとも一つのものを、リールから繰出される釣り糸を案内する糸案内経路に位置する状態と糸案内経路から退避する状態とに切り換え可能に構成してある竿体の糸ガイド取り付け構造。
【請求項３】
前記糸ガイドの糸挿通孔の径を、その糸ガイドを取りつけた竿体の外径より小径としてある請求項１又は２記載の竿体の糸ガイド取り付け構造。
【請求項４】
請求項１〜３のうちのいずれかひとつの竿体の糸ガイド取り付け構造を、穂先竿及び元竿を除く他の竿に適用してある竿体の糸ガイド取り付け構造。
【発明の詳細な説明】
【技術分野】
【０００１】
本発明は、竿体の糸ガイド取り付け構造に関する。
【背景技術】
【０００２】
竿体の外周面において円周方向の一つの位相でかつ竿体の軸線方向に沿って複数箇所に糸ガイド配置位置を定めていた（特許文献１参照）。
それによって、軸線方向に沿って配置された状態で竿体の外周面に固定されているので、その軸線方向での隣接する糸ガイド同士の設置間隔は、一定間隔か又は軸線方向に沿って除々に大きな間隔となるように設置されていた。
【０００３】
【特許文献１】特開２００３−２３９２５号公報（段落番号〔０００８〕、〔００１６〕、及び、図１）
【発明の開示】
【発明が解決しようとする課題】
【０００４】
ところで、同じ釣り竿を使用する場合であっても、釣り場の状況や目的とする魚種の違いにより、使用する仕掛けや錘が異なってくる。
そうすると、錘が重くなるにつれて、竿体の曲がりが大きくなる為に、隣接する糸ガイドの間に位置する釣り糸が竿体の外周面に接触し、魚の動きに合わせて釣り糸を繰出したり巻き上げたりすることに円滑さを欠くことになっていた。
【０００５】
本発明の目的は、使用状況に応じて糸ガイド位置を調節できるとともに、錘の重さに応じた糸ガイドの設置間隔を選択できる竿体の糸ガイド取り付け構造を提供する点にある。
【課題を解決するための手段】
【０００６】
〔構成〕
請求項１に係る発明の特徴構成は、竿体の外周面に、その外周面の円周方向における複数位相に夫々糸ガイド設置位置を定めるとともに、複数の糸ガイド設置位相毎に、竿先側に位置する糸ガイド同士の軸線方向での間隔を基準間隔にして、前記竿体の軸線方向に沿って、前記基準間隔と一定の間隔又は前記基準間隔より竿尻側程大きくなる間隔で複数の糸ガイドを設置し、前記糸ガイドの基準間隔を、前記糸ガイド設置位相毎で、異なる間隔としてある点にあり、その作用効果は次の通りである。
【０００７】
〔作用〕
上記構成においては、竿体の外周面に、円周方向における複数の位相に糸ガイド設置位置を定めた。そして、位相毎における糸ガイドの基準間隔を異なるものにしてある。これにより、ある位相に糸ガイドを軸線方向に沿って設置する隣接間隔と、前記したある位相とは別の位相において軸線方向に沿った糸ガイド同士の設置間隔とは、異なるものにできる。
これにより、錘の重さが重くなるほど、糸ガイドの設置間隔が短い位相の部分に設置されている糸ガイド群を選定して使用する。
錘が軽くなると、錘が重い場合に比べて、糸ガイドの設置間隔が長く設置されている糸ガイド群を選定して使用する。これによって、糸ガイドによる釣り糸移動に対する抵抗を抑えることができるのである。
【０００８】
〔効果〕
したがって、錘の重さ、及び、釣り状況に応じた糸ガイドの適切な設置間隔を選択することができるので、糸の繰り出し巻き取り操作を円滑に行うことができる。
上記した、設置間隔の異なる糸ガイド群は竿体に装備されているので、設置間隔を切り換えるために、糸ガイドを竿体の軸線方向に移動させたり、糸ガイドを付け替えたりする、煩わしい作業を必要としない。
【０００９】
請求項２に係る発明の特徴構成は、竿体の外周面に、その竿体の軸線方向に沿って複数の糸ガイドを設置するとともに、その複数の糸ガイドの少なくとも一つのものを、リールから繰出される釣り糸を案内する糸案内経路に位置する状態と糸案内経路から退避する状態とに切り換え可能に構成してある点にあり、その作用効果は次の通りである。
【００１０】
〔作用効果〕
つまり、糸案内経路に位置する状態と糸案内経路から退避する状態とに切り換え可能な糸ガイドを、その退避する状態に切り換えることによって、隣接する糸ガイドの間隔を２倍に広げることが可能になり、錘が軽くなっても、糸に対する移動抵抗を軽減できる。反対に、錘が重くなると、退避する状態にあった糸ガイドを糸案内経路に位置させることによって、糸ガイドの設置間隔を短くでき、糸が竿体の外周面に接触することを回避できる。
【００１１】
請求項３に係る発明の特徴構成は、請求項１又は２に係る発明において、前記糸ガイドの糸挿通孔の径を、その糸ガイドを取りつけた竿体の外径より小径としてある点にあり、その作用効果は次の通りである。
【００１２】
〔作用効果〕
釣り操作時に使用される特定位相とは異なる位相の糸ガイドは使用されていない。そうすると、糸ガイドの糸挿通孔の径を、その糸ガイドを取りつけた竿体の外径より小径としてあるので、糸ガイドの糸挿通孔の径を、その糸ガイドを取りつけた竿体の外径より大径としてある場合に比べて、その使用されていない糸ガイドに糸が絡み付くことは少なくなる。
【００１３】
請求項４に係る発明の特徴構成は、請求項１又は３に記載の発明において、穂先竿及び元竿を除く他の竿に適用してある点にあり、その作用効果は次の通りである。
【００１４】
〔作用効果〕
穂先竿や元竿では、糸ガイドの取り付け位相は決まったものとなっているので、竿体の円周方向の複数位相に糸ガイドを設けることはむずかしい。
したがって、複数位相に設けることについて障害の少ない、穂先竿や元竿以外の他の竿となる中竿に前記した複数位相に糸ガイドを設けることにした。
【発明を実施するための最良の形態】
【００１５】
〔第１実施形態〕
図１に示すように、穂先竿１、二番竿２、三番竿３、及び、図外の元竿等によって、釣り竿Ａを構成してある。各竿体２，３は並継または印籠継の形式で使用状態に継がれる。
【００１６】
図１に示すように、穂先竿１には、先端にトップガイド１Ａが取付固定され、後方側に二個の糸ガイド１Ｂ、１Ｂが設けてある。この穂先竿１では、トップガイド１Ａと後方の糸ガイド１Ｂ、１Ｂとは、円周方向で一つの位相において設けてある。他の位相には、設けられてはいない。また、各糸ガイド１Bの隣接間隔は軸線に沿って徐々に大きくなっている。
【００１７】
二番竿２、三番竿３での糸ガイド２Ａ、２Ｂ、３Ａ、３Ｂ等の取付けについて説明する。図１及び図２に示すように、二番竿２、三番竿３では、円周方向における複数の位相に糸ガイド設置位相を定めている。つまり、円周方向の１８０°離れた２箇所に糸ガイド設置位相を定め、糸ガイド設置位相毎に、二番竿２、三番竿３の軸線方向に沿って徐々に大きくなる間隔に糸ガイド２Ａ等を設けてある。
【００１８】
２箇所に設けてある糸ガイド設置位相において、図１に示すように、上向きに取り付けられている糸ガイドを第１糸ガイド２Ａ、下向きに取り付けられている糸ガイドを第２糸ガイド２Ｂと呼称する。
【００１９】
第１糸ガイド２Ａは、上向き姿勢の状態で、かつ、穂先竿１の竿尻側端部に取り付けられた糸ガイド１Ｂを先頭のガイドとして軸線方向に沿って徐々に広がる第１間隔ＬＡ‐１〜ＬＡ‐３までの３個設置されている。
第２糸ガイド２Ｂは、下向き姿勢で、かつ、第１糸ガイド２Ａより竿尻側に設けられるとともに、軸線方向に沿って徐々に広がる第２間隔ＬＢ‐１〜ＬＢ‐３で３個の第２糸ガイド２Ｂが設けられてある。第１糸ガイド３Ａと第２糸ガイド３Ｂは、三番竿３でも設けてあり、二番竿２からの連続した状態で第１間隔ＬＡ‐４〜ＬＡ‐６、第２間隔ＬＢ‐４〜ＬＢ‐６が設定されている。
【００２０】
前記した第１糸ガイド２Ａと第２糸ガイド２Ｂとの設置間隔は、穂先竿１の竿尻側端部の糸ガイド１Ｂから二番竿２の竿先側端部に位置する糸ガイド２Ａ、２Ｂとの間隔を基準間隔ＬＡ‐１、ＬＢ‐１とする。
そして、第１糸ガイド２Ａの基準間隔ＬＡ‐１と、第２糸ガイド２Ｂの基準間隔ＬＢ‐１との間隔を異なるものにしてある。このことが、請求項１に記載した、前記軸線方向で隣接する糸ガイドの設置間隔を、前記糸ガイド設置位相毎で、異なる間隔としてある、ものに対応する。
【００２１】
各糸ガイド２Ａ、２Ｂの構成について第１糸ガイド２Ａで説明する。図１〜図３に示すように、第１ガイド２Ａは、高さが二番竿２の外径長さより低く、糸挿通孔２ａも二番竿２の外径より小径である。
第１糸ガイド２Ａは、前後に脚部２ｂを有しており、その脚部２ｂと二番竿２の外周面に掛け渡した取付糸で取付固定されている。取付糸の外側には樹脂が施されて、取付状態を確定する構成となっている。
【００２２】
〔第２実施形態〕
ここでは、二番竿２の円周方向における一つの位相に位置定めて、第４糸ガイド２Ｄを設置する態様を説明する。図５及び図６に示すように、複数個の糸ガイド２Ｄを、上向き姿勢でかつ軸線方向に沿って複数個設置する。
この第４糸ガイド２Ｄは、図６に示すように、二番竿２に外嵌した取付台２ｃに二本の脚部２ｄ、２ｄで取付られており、脚部２ｄ、２ｄの上端に糸挿通部を設けてある。
【００２３】
一方の脚部２ｄは、取付台２ｃに揺動自在に軸支されており、他方の脚部２ｄは、長孔２ｅに沿って移動可能に構成してある。つまり、一方の脚部２ｄが揺動するにつれて、他方の脚部２ｄが長孔２ｅに沿って移動し、第４糸ガイド２Ｄは竿の軸線方向に揺動して倒伏姿勢に切り換わる。この構成により、リールから繰出される釣り糸を案内する糸案内経路に位置する状態と糸案内経路から退避する状態とに切り換え可能な構成を達成する。
【００２４】
この複数の第４糸ガイド２Ｄの内の、いずれかのものを糸案内経路より退避させることによって、実質的に第４糸ガイド２Ｄ同士の間隔を大きくでき、糸ガイド同士の間隔を変更できる。
【００２５】
〔別実施形態〕
（１）  リールから繰出される釣り糸を案内する糸案内経路に位置する状態と糸案内経路から退避する状態とに切り換え可能な構成としては、次ぎのようなものでもよい。つまり、図７に示すように、取付台２ｆに対して単一の脚部２ｇを竿軸芯に平行な軸芯回りで左右に揺動自在に軸支し、第５糸ガイド２Ｅを左右一方に倒伏させて、糸案内経路から退避する状態とに切り換え可能に構成する。このような構成によっても、糸ガイド同士の間隔を変更できる。
（２）  上記実施形態においては、竿体の円周方向において１８０°対角位置に、糸ガイド設置位置を定めたが、図４に示すように、３つの位相の部分に設定してもよく、または、４つ以上の位相部分に設置してもよい。
（３）  隣接する糸ガイド間の設置間隔を切り換える構成として、二番竿２に施すことについて記載したが、二番竿２に限定されず、三番竿３でもよく、穂先竿１、元竿以外の他の竿であればよい。
【図面の簡単な説明】
【００２６】
【図１】第１糸ガイドと第２糸ガイドとを、二番竿と三番竿とに取り付けた状態を示す側面図
【図２】第１糸ガイドと第２糸ガイドとを、二番竿に取り付けた状態を示す縦断側面図
【図３】第１糸ガイドを二番竿に取り付けた状態を示す側面図
【図４】３つの位相部分に糸ガイドを設置した状態を示す縦断正面図
【図５】倒伏可能な糸ガイドを複数個設置した状態を示す側面図
【図６】倒伏可能な糸ガイドの拡大側面図
【図７】左右に倒伏可能な糸ガイドを示す縦断正面図
【符号の説明】
【００２７】
２、３              竿体
２Ａ                第１糸ガイド
２Ｂ                第２糸ガイド
２Ｃ                第３糸ガイド
ＬＡ‐１〜ＬＡ‐６  第１糸ガイド設置間隔
ＬＢ‐１〜ＬＢ‐６  第２糸ガイド設置間隔
ＬＡ‐１            第１糸ガイドの基準間隔
ＬＢ‐１            第２糸ガイドの基準間隔
【図１】
2006075019.tif 000003
【図２】
2006075019.tif 000004
【図３】
2006075019.tif 000005
【図４】
2006075019.tif 000006
【図５】
2006075019.tif 000007
【図６】
2006075019.tif 000008
【図７】
2006075019.tif 000009